(57)【要約】【課題】本発明は天井に取り付けられる装飾品を開示した。【解決手段】装飾ブロック及び前記装飾ブロックを取り付ける用の固定台座を含み、前記固定台座の外表面にはフランジが固定的に設置され、前記フランジの中には環状になるように排列された取り付け穴が設置され、前記固定台座の底壁の中には下方に開口したスライドチャンバが設置され、前記スライドチャンバの中にはスライドブロックがスライドできるように設置され、本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。【選択図】図１
2020184510.tif 000002
【特許請求の範囲】
【請求項１】
正面視で、装飾ブロック及び前記装飾ブロックを取り付ける用の固定台座を含み、前記固定台座の外表面にはフランジが固定的に設置され、前記フランジの中には環状になるように排列された取り付け穴が設置され、前記固定台座の底壁の中には下方に開口したスライドチャンバが設置され、前記スライドチャンバの中にはスライドブロックがスライドできるように設置され、前記スライドブロックの中には第一スプラインスリーブが回転できるように設置され、前記スライドチャンバの頂壁の中には歯車チャンバが設置され、前記歯車チャンバの中には第二スプラインスリーブが回転できるように設置され、前記第二スプラインスリーブが前記歯車チャンバの頂壁の中に固定的に設置されたモーターと動力が伝達できるように連結され、前記モーターは設備全体に動力を提供することができ、前記第二スプラインスリーブの外表面には第一歯車が固定的に設置され、前記第二スプラインスリーブの底壁の中には下方に開口したスプライン穴が設置され、前記スプライン穴の中には前記第一スプラインスリーブと固定的に連結された第一スプライン軸がスプラインによって嵌合され、前記第一スプライン軸と前記スプライン穴の頂壁との間には第一ばねが弾性を持つように設置され、前記スライドチャンバの左右端壁の中には外部に連通した第一スライド穴が設置され、前記第一スライド穴の中には第一スライドロッドがスライドできるように設置され、前記第一スライドロッドと前記第一スライド穴の底壁との間には第一復帰装置が弾性を持つように設置され、前記第一スライドロッドは前記固定台座を装飾ブロックと一緒にロックすることができ、前記第一スライド穴の頂壁の中には前記第一スライド穴に連通したスライド溝が設置され、前記スライド溝と前記スライド溝の頂壁との中には前記装飾ブロックと前記固定台座とを固定することができるロック装置が設置され、前記装飾ブロックは前記装飾ブロックの頂壁の中に設置された上方に開口した凹溝及び前記装飾ブロックの底壁の中に設置された内歯車を含み、前記凹溝の左右端壁の中には相対に開口した第二スライド穴が設置され、前記第二スライド穴の中には電気接続ロッドがスライドできるように設置され、前記電気接続ロッドと前記第一スライド穴の端壁との間には第二ばねが弾性を持つように設置され、前記凹溝の左右端壁の中にはロック溝が対称的に設置され、前記装飾ブロックの底壁にはガラス蓋が固定的に設置され、前記ガラス蓋の中には展示品とする装飾装置が設置されたことを特徴とする天井に取り付けられる装飾品。
【請求項２】
前記ロック装置は前記スライド溝の中でスライドできる位置制限ブロックを含み、前記位置制限ブロックと前記第一スライドロッドの頂壁とが固定的に連結され、前記スライド溝の頂壁の中にはラチェット機構チャンバが設置され、前記ラチェット機構チャンバと前記スライド溝との間には第一回転軸が回転できるように設置され、前記スライド溝の中の前記第一回転軸の外表面にはカムが固定的に設置され、前記カムが回転することによって設備に解錠を行うことができ、前記ラチェット機構チャンバの中の前記第一回転軸の末端には歯止め付き円盤が固定的に設置され、前記ラチェット機構チャンバと前記歯車チャンバとの間には第二回転軸が回転できるように設置され、前記歯車チャンバの中の前記第二回転軸の末端には前記第一歯車と噛み合っている第二歯車が固定的に設置され、前記ラチェット機構チャンバの中の前記第二回転軸の末端には前記歯止め付き円盤と作動し合うラチェット歯車が固定的に設置され、前記スライド溝の頂壁の中には下方に開口した第三スライド穴が設置され、前記第三スライド穴の中には第二スライドロッドがスライドできるように設置され、前記第二スライドロッドの中には斜め溝が設置され、前記第二スライドロッドと前記第三スライド穴の頂壁との間には第三ばねが弾性を持つように設置され、前記スライドチャンバの左右端壁の中には前記第三スライド穴を貫通した第四スライド穴が設置され、前記第四スライド穴の中には第三スライドロッドがスライドできるように設置され、前記第三スライドロッドと前記第四スライド穴の上下端壁との間には第二復帰装置が弾性を持つように設置され、前記固定台座の左右端壁の中には電源の電気回路と通電できるように連結された電気接続溝が設置されたことを特徴とする請求項１に記載の天井に取り付けられる装飾品。
【請求項３】
前記装飾装置は前記装飾ブロックの底部に回転できるように設置された回転ラックを含み、前記回転ラックの中には上下に貫通した抜き穴が設置され、前記回転ラックの中には第三回転軸が左右対称的に回転できるように設置され、前記第三回転軸の底部末端には前記電気接続ロッドと通電できるように連結された照射ライトが固定的に設置され、前記第三回転軸の頂部には前記内歯車と噛み合っている第三歯車が固定的に設置され、前記内歯車と前記凹溝との間には第二スプライン軸が回転できるように設置され、前記内歯車の中の前記第二スプライン軸の外表面には前記第三歯車と噛み合っている第四歯車が固定的に設置され、前記第二スプライン軸の底部末端にはファンが固定的に設置され、前記ガラス蓋の中にはプラスチック製スパンコールが置かれたことを特徴とする請求項１に記載の天井に取り付けられる装飾品。
【発明の詳細な説明】
【技術分野】
【０００１】
本発明は装飾用品分野に関わり、具体的には天井に取り付けられる装飾品である。
【背景技術】
【０００２】
人々は装飾品を利用して装飾する時、一部の装飾品は天井板に固定される必要があり、伝統的な装飾品は固定方式が簡単で、且つしっかりと固定されることができなく、また取り外すことやクリーニングすることやメンテナンスなどは難しく、機能は単一で、装飾効果は普通であり、従って、上記の問題を解決するため、天井に取り付けられる装飾品が必要となる。
【先行技術文献】
【特許文献】
【０００３】
【特許文献１】中国特許出願公開第１０７１６６２８０号明細書
【発明の概要】
【発明が解決しようとする課題】
【０００４】
本発明の目的は天井に取り付けられる装飾品を提供し、それは既存技術にある上記欠点を解消し、設備の実用性を高められる。
【課題を解決するための手段】
【０００５】
本発明の天井に取り付けられる装飾品は、装飾ブロック及び前記装飾ブロックを取り付ける用の固定台座を含み、前記固定台座の外表面にはフランジが固定的に設置され、前記フランジの中には環状になるように排列された取り付け穴が設置され、前記固定台座の底壁の中には下方に開口したスライドチャンバが設置され、前記スライドチャンバの中にはスライドブロックがスライドできるように設置され、前記スライドブロックの中には第一スプラインスリーブが回転できるように設置され、前記スライドチャンバの頂壁の中には歯車チャンバが設置され、前記歯車チャンバの中には第二スプラインスリーブが回転できるように設置され、前記第二スプラインスリーブが前記歯車チャンバの頂壁の中に固定的に設置されたモーターと動力が伝達できるように連結され、前記モーターは設備全体に動力を提供することができ、前記第二スプラインスリーブの外表面には第一歯車が固定的に設置され、前記第二スプラインスリーブの底壁の中には下方に開口したスプライン穴が設置され、前記スプライン穴の中には前記第一スプラインスリーブと固定的に連結された第一スプライン軸がスプラインによって嵌合され、前記第一スプライン軸と前記スプライン穴の頂壁との間には第一ばねが弾性を持つように設置され、前記スライドチャンバの左右端壁の中には外部に連通した第一スライド穴が設置され、前記第一スライド穴の中には第一スライドロッドがスライドできるように設置され、前記第一スライドロッドと前記第一スライド穴の底壁との間には第一復帰装置が弾性を持つように設置され、前記第一スライドロッドは前記固定台座を装飾ブロックと一緒にロックすることができ、前記第一スライド穴の頂壁の中には前記第一スライド穴に連通したスライド溝が設置され、前記スライド溝と前記スライド溝の頂壁との中には前記装飾ブロックと前記固定台座とを固定することができるロック装置が設置され、前記装飾ブロックは前記装飾ブロックの頂壁の中に設置された上方に開口した凹溝及び前記装飾ブロックの底壁の中に設置された内歯車を含み、前記凹溝の左右端壁の中には相対に開口した第二スライド穴が設置され、前記第二スライド穴の中には電気接続ロッドがスライドできるように設置され、前記電気接続ロッドと前記第一スライド穴の端壁との間には第二ばねが弾性を持つように設置され、前記凹溝の左右端壁の中にはロック溝が対称的に設置され、前記装飾ブロックの底壁にはガラス蓋が固定的に設置され、前記ガラス蓋の中には展示品とする装飾装置が設置された。
【０００６】
好ましくは、前記ロック装置は前記スライド溝の中でスライドできる位置制限ブロックを含み、前記位置制限ブロックと前記第一スライドロッドの頂壁とが固定的に連結され、前記スライド溝の頂壁の中にはラチェット機構チャンバが設置され、前記ラチェット機構チャンバと前記スライド溝との間には第一回転軸が回転できるように設置され、前記スライド溝の中の前記第一回転軸の外表面にはカムが固定的に設置され、前記カムが回転することによって設備に解錠を行うことができ、前記ラチェット機構チャンバの中の前記第一回転軸の末端には歯止め付き円盤が固定的に設置され、前記ラチェット機構チャンバと前記歯車チャンバとの間には第二回転軸が回転できるように設置され、前記歯車チャンバの中の前記第二回転軸の末端には前記第一歯車と噛み合っている第二歯車が固定的に設置され、前記ラチェット機構チャンバの中の前記第二回転軸の末端には前記歯止め付き円盤と作動し合うラチェット歯車が固定的に設置され、前記スライド溝の頂壁の中には下方に開口した第三スライド穴が設置され、前記第三スライド穴の中には第二スライドロッドがスライドできるように設置され、前記第二スライドロッドの中には斜め溝が設置され、前記第二スライドロッドと前記第三スライド穴の頂壁との間には第三ばねが弾性を持つように設置され、前記スライドチャンバの左右端壁の中には前記第三スライド穴を貫通した第四スライド穴が設置され、前記第四スライド穴の中には第三スライドロッドがスライドできるように設置され、前記第三スライドロッドと前記第四スライド穴の上下端壁との間には第二復帰装置が弾性を持つように設置され、前記固定台座の左右端壁の中には電源の電気回路と通電できるように連結された電気接続溝が設置された。
【０００７】
好ましくは、前記装飾装置は前記装飾ブロックの底部に回転できるように設置された回転ラックを含み、前記回転ラックの中には上下に貫通した抜き穴が設置され、前記回転ラックの中には第三回転軸が左右対称的に回転できるように設置され、前記第三回転軸の底部末端には前記電気接続ロッドと通電できるように連結された照射ライトが固定的に設置され、前記第三回転軸の頂部には前記内歯車と噛み合っている第三歯車が固定的に設置され、前記内歯車と前記凹溝との間には第二スプライン軸が回転できるように設置され、前記内歯車の中の前記第二スプライン軸の外表面には前記第三歯車と噛み合っている第四歯車が固定的に設置され、前記第二スプライン軸の底部末端にはファンが固定的に設置され、前記ガラス蓋の中にはプラスチック製スパンコールが置かれた。
【発明の効果】
【０００８】
本発明の有益な効果は：本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の天井に取り付けられる装飾品全体の取り付け構成概略図
【図２】図２は図１の中の固定台座の全体構成概略図
【図３】図３は図２の中のＡの拡大概略図
【図４】図４は図１の中の装飾ブロックの全体構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明の天井に取り付けられる装飾品は、装飾ブロック４２及び前記装飾ブロック４２を取り付ける用の固定台座１０を含み、前記固定台座１０の外表面にはフランジ２６が固定的に設置され、前記フランジ２６の中には環状になるように排列された取り付け穴２５が設置され、前記固定台座１０の底壁の中には下方に開口したスライドチャンバ１９が設置され、前記スライドチャンバ１９の中にはスライドブロック６０がスライドできるように設置され、前記スライドブロック６０の中には第一スプラインスリーブ１７が回転できるように設置され、前記スライドチャンバ１９の頂壁の中には歯車チャンバ２２が設置され、前記歯車チャンバ２２の中には第二スプラインスリーブ２４が回転できるように設置され、前記第二スプラインスリーブ２４が前記歯車チャンバ２２の頂壁の中に固定的に設置されたモーター１１と動力が伝達できるように連結され、前記モーター１１は設備全体に動力を提供することができ、前記第二スプラインスリーブ２４の外表面には第一歯車１２が固定的に設置され、前記第二スプラインスリーブ２４の底壁の中には下方に開口したスプライン穴２３が設置され、前記スプライン穴２３の中には前記第一スプラインスリーブ１７と固定的に連結された第一スプライン軸１８がスプラインによって嵌合され、前記第一スプライン軸１８と前記スプライン穴２３の頂壁との間には第一ばね２０が弾性を持つように設置され、前記スライドチャンバ１９の左右端壁の中には外部に連通した第一スライド穴１４が設置され、前記第一スライド穴１４の中には第一スライドロッド１６がスライドできるように設置され、前記第一スライドロッド１６と前記第一スライド穴１４の底壁との間には第一復帰装置１５が弾性を持つように設置され、前記第一スライドロッド１６は前記固定台座１０を装飾ブロック４２と一緒にロックすることができ、前記第一スライド穴１４の頂壁の中には前記第一スライド穴１４に連通したスライド溝３４が設置され、前記スライド溝３４と前記スライド溝３４の頂壁との中には前記装飾ブロック４２と前記固定台座１０とを固定することができるロック装置２００が設置され、前記装飾ブロック４２は前記装飾ブロック４２の頂壁の中に設置された上方に開口した凹溝４５及び前記装飾ブロック４２の底壁の中に設置された内歯車５６を含み、前記凹溝４５の左右端壁の中には相対に開口した第二スライド穴４７が設置され、前記第二スライド穴４７の中には電気接続ロッド４４がスライドできるように設置され、前記電気接続ロッド４４と前記第ニスライド穴４７の端壁との間には第二ばね４３が弾性を持つように設置され、前記凹溝４５の左右端壁の中にはロック溝４８が対称的に設置され、前記装飾ブロック４２の底壁にはガラス蓋５８が固定的に設置され、前記ガラス蓋５８の中には展示品とする装飾装置３００が設置された。
【００１３】
有益なように、前記ロック装置２００は前記スライド溝３４の中でスライドできる位置制限ブロック３７を含み、前記位置制限ブロック３７と前記第一スライドロッド１６の頂壁とが固定的に連結され、前記スライド溝３４の頂壁の中にはラチェット機構チャンバ３０が設置され、前記ラチェット機構チャンバ３０と前記スライド溝３４との間には第一回転軸３５が回転できるように設置され、前記スライド溝３４の中の前記第一回転軸３５の外表面にはカム３６が固定的に設置され、前記カム３６が回転することによって設備に解錠を行うことができ、前記ラチェット機構チャンバ３０の中の前記第一回転軸３５の末端には歯止め付き円盤３２が固定的に設置され、前記ラチェット機構チャンバ３０と前記歯車チャンバ２２との間には第二回転軸２１が回転できるように設置され、前記歯車チャンバ２２の中の前記第二回転軸２１の末端には前記第一歯車１２と噛み合っている第二歯車１３が固定的に設置され、前記ラチェット機構チャンバ３０の中の前記第二回転軸２１の末端には前記歯止め付き円盤３２と作動し合うラチェット歯車３１が固定的に設置され、前記スライド溝３４の頂壁の中には下方に開口した第三スライド穴３９が設置され、前記第三スライド穴３９の中には第二スライドロッド３８がスライドできるように設置され、前記第二スライドロッド３８の中には斜め溝２７が設置され、前記第二スライドロッド３８と前記第三スライド穴３９の頂壁との間には第三ばね２８が弾性を持つように設置され、前記スライドチャンバ１９の左右端壁の中には前記第三スライド穴３９を貫通した第四スライド穴２９が設置され、前記第四スライド穴２９の中には第三スライドロッド４１がスライドできるように設置され、前記第三スライドロッド４１と前記第四スライド穴２９の上下端壁との間には第二復帰装置４０が弾性を持つように設置され、前記固定台座１０の左右端壁の中には電源の電気回路と通電できるように連結された電気接続溝３３が設置された。
【００１４】
有益なように、前記装飾装置３００は前記装飾ブロック４２の底部に回転できるように設置された回転ラック５４を含み、前記回転ラック５４の中には上下に貫通した抜き穴５１が設置され、前記回転ラック５４の中には第三回転軸５３が左右対称的に回転できるように設置され、前記第三回転軸５３の底部末端には前記電気接続ロッド４４と通電できるように連結された照射ライト５２が固定的に設置され、前記第三回転軸５３の頂部には前記内歯車５６と噛み合っている第三歯車５５が固定的に設置され、前記内歯車５６と前記凹溝４５との間には第二スプライン軸４６が回転できるように設置され、前記内歯車５６の中の前記第二スプライン軸４６の外表面には前記第三歯車５５と噛み合っている第四歯車４９が固定的に設置され、前記第二スプライン軸４６の底部末端にはファン５０が固定的に設置され、前記ガラス蓋５８の中にはプラスチック製スパンコール５７が置かれた。
【００１５】
以下、出願人は図１〜４及び上記の天井に取り付けられる装飾品の具体的に構成を参考して本発明の天井に取り付けられる装飾品の使用方法を詳しく紹介する：
【００１６】
本装置を使用する時、最初にアンカーを使用して固定台座１０を天井板に固定し、この時に装飾ブロック４２を上方へ推し動かし、この時に第一スライドロッド１６が推力の作用の下で対向に移動し、ロック溝４８が第一スライド穴１４と同じレベルに位置した時、第一スライドロッド１６が第一復帰装置１５の作用の下でロック溝４８の中に弾き込まれ、この時に固定台座１０と装飾ブロック４２とがしっかりと固定され、それと同時に装飾ブロック４２が上方へ移動して第二スプライン軸４６を連動させて第一スプラインスリーブ１７の中に挿し込んで第一スプラインスリーブ１７とスプラインによって嵌合され、この時に第二スプライン軸４６が上方へ移動して第一スプラインスリーブ１７を上方へ移動連動させ、それによって第一スプライン軸１８を上方へ移動連動させて第一ばね２０を圧縮し、スライドブロック６０が第三スライドロッド４１の上方にスライドし、この時に電気接続ロッド４４が電気接続溝３３に挿し込まれ、照射ライト５２が通電して光り、この時、モーター１１を始動して回転させて第二スプラインスリーブ２４を回転連動させ、それによって第二スプライン軸４６を回転連動させ、それによって第四歯車４９を回転連動させ、第四歯車４９が回転して第三歯車５５を自転させると同時に第四歯車４９を回って公転させることを連動させ、この時に回転ラック５４と照射ライト５２とが同時に回転し、それによって照射方向を連動させて絶えずに変化させ、それと同時に第二スプライン軸４６が回転してファン５０を回転連動させ、それによってガラス蓋５８の中のプラスチック製スパンコール５７を吹き上げ、この時に光りが変化している照射の下で異なる陰りを形成し、装飾品の装飾効果を向上させ、装飾ブロック４２を取り外す時、モーター１１を始動して反転させ、それによって第一歯車１２を反転連動させ、それによって第二歯車１３を反転連動させ、この時にラチェット歯車３１が反転して歯止め付き円盤３２を反転連動させることができ、それによってカム３６を回転連動させ、カム３６が回転して位置制限ブロック３７を移動連動させて第二スライドロッド３８を推し動かして上方へ移動させ、位置制限ブロック３７が第二スライドロッド３８の片側から第二スライドロッド３８のもう片側に移動した時、位置制限ブロック３７が固定され、この時に位置制限ブロック３７が第一スライドロッド１６を連動移動させてロック溝４８から出し、この時に第一ばね２０が第一スプライン軸１８を下方へ推し、第一スプライン軸１８が下方へ移動して第一スプラインスリーブ１７を下方へ移動連動させ、それによって固定台座１０を装飾ブロック４２から離れさせ、それによって第二スライドロッド３８を上方へ移動連動させ、この時に第一スライドロッド１６が復帰し、電気接続ロッド４４が移動して電気接続溝３３から出、設備が停電する。
【００１７】
上記の詳細な分析からわかるのは：本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020184510.tif 000003
【図２】
2020184510.tif 000004
【図３】
2020184510.tif 000005
【図４】
2020184510.tif 000006
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
正面視で、装飾ブロック及び前記装飾ブロックを取り付ける用の固定台座を含み、前記固定台座の外表面にはフランジが固定的に設置され、前記フランジの中には環状になるように配列された取り付け穴が設置され、前記固定台座の底壁の中には下方に開口したスライドチャンバが設置され、前記スライドチャンバの中にはスライドブロックがスライドできるように設置され、前記スライドブロックの中には第一スプラインスリーブが回転できるように設置され、前記スライドチャンバの頂壁の中には歯車チャンバが設置され、前記歯車チャンバの中には第二スプラインスリーブが回転できるように設置され、前記第二スプラインスリーブが前記歯車チャンバの頂壁の中に固定的に設置されたモーターと動力が伝達できるように連結され、前記モーターは設備全体に動力を提供することができ、前記第二スプラインスリーブの外表面には第一歯車が固定的に設置され、前記第二スプラインスリーブの底壁の中には下方に開口したスプライン穴が設置され、前記スプライン穴の中には前記第一スプラインスリーブと固定的に連結された第一スプライン軸がスプラインによって嵌合され、前記第一スプライン軸と前記スプライン穴の頂壁との間には第一ばねが弾性を持つように設置され、前記スプラインチャンバの左右端壁の中には外部に連通した第一スライド穴が設置され、前記第一スライド穴の中には第一スライドロッドがスライドできるように設置され、前記第一スライドロッドと前記第一スライド穴の底壁との間には第一復帰装置が弾性を持つように設置され、前記第一スライドロッドは前記固定台座を装飾ブロックと一緒にロックすることができ、前記第一スライド穴の頂壁の中には前記第一スライド穴に連通したスライド溝が設置され、前記スライド溝と前記スライド溝の頂壁との中には前記装飾ブロックと前記固定台座とを固定することができるロック装置が設置され、前記装飾ブロックは前記装飾ブロックの頂壁の中に設置された上方に開口した凹溝及び前記装飾ブロックの底壁の中に設置された内歯車を含み、前記凹溝の左右端壁の中には相対に開口した第二スライド穴が設置され、前記第二スライド穴の中には電気接続ロッドがスライドできるように設置され、前記電気接続ロッドと前記第二スライド穴の端壁との間には第二ばねが弾性を持つように設置され、前記凹溝の左右端壁の中にはロック溝が対称的に設置され、前記装飾ブロックの底壁にはガラス蓋が固定的に設置され、前記ガラス蓋の中には展示品とする装飾装置が設置されたことを特徴とする天井に取り付けられる装飾品。
【請求項２】
前記ロック装置は前記スライド溝の中でスライドできる位置制限ブロックを含み、前記位置制限ブロックと前記第一スライドロッドの頂壁とが固定的に連結され、前記スライド溝の頂壁の中にはラチェット機構チャンバが設置され、前記ラチェット機構チャンバと前記スライド溝との間には第一回転軸が回転できるように設置され、前記スライド溝の中の前記第一回転軸の外表面にはカムが固定的に設置され、前記ラチェット機構チャンバの中の前記第一回転軸の末端には歯止め付き円盤が固定的に設置され、前記ラチェット機構チャンバと前記歯車チャンバとの間には第二回転軸が回転できるように設置され、前記歯車チャンバの中の前記第二回転軸の末端には前記第一歯車と噛み合っている第二歯車が固定的に設置され、前記ラチェット機構チャンバの中の前記第二回転軸の末端には前記歯止め付き円盤と作動し合うラチェット歯車が固定的に設置され、前記スライド溝の頂壁の中には下方に開口した第三スライド穴が設置され、前記第三スライド穴の中には第二スライドロッドがスライドできるように設置され、前記第二スライドロッドの中には斜面溝が設置され、前記第二スライドロッドと前記第三スライド穴の頂壁との間には第三ばねが弾性を持つように設置され、前記スライドチャンバの左右端壁の中には前記第三スライド穴を貫通した第四スライド穴が設置され、前記第四スライド穴の中には第三スライドロッドがスライドできるように設置され、前記第三スライドロッドと前記第四スライド穴の上下端壁との間には第二復帰装置が弾性を持つように設置され、前記固定台座の左右端壁の中には電源の電気回路と通電できるように連結された電気接続溝が設置されたことを特徴とする請求項１に記載の天井に取り付けられる装飾品。
【請求項３】
前記装飾装置は前記装飾ブロックの底部に回転できるように設置された回転ラックを含み、前記回転ラックの中には上下に貫通した抜き穴が設置され、前記回転ラックの中には第三回転軸が左右対称的に回転できるように設置され、前記第三回転軸の底部末端には前記電気接続ロッドと通電できるように連結された照射ライトが固定的に設置され、前記第三回転軸の頂部には前記内歯車と噛み合っている第三歯車が固定的に設置され、前記内歯車と前記凹溝との間には第二スプライン軸が回転できるように設置され、前記内歯車の中の前記第二スプライン軸の外表面には前記第三歯車と噛み合っている第四歯車が固定的に設置され、前記第二スプライン軸の底部末端にはファンが固定的に設置され、前記ガラス蓋の中にはプラスチック製スパンコールが置かれたことを特徴とする請求項１に記載の天井に取り付けられる装飾品。
【手続補正２】
【補正対象書類名】明細書
【補正対象項目名】全文
【補正方法】変更
【補正の内容】
【発明の詳細な説明】
【技術分野】
【０００１】
本発明は装飾用品分野に関わり、具体的には天井に取り付けられる装飾品である。
【背景技術】
【０００２】
人々は装飾品を利用して装飾する時、一部の装飾品は天井板に固定される必要があり、伝統的な装飾品は固定方式が簡単で、且つしっかりと固定されることができなく、また取り外すことやクリーニングすることやメンテナンスなどは難しく、機能は単一で、装飾効果は普通であり、従って、上記の問題を解決するため、天井に取り付けられる装飾品が必要となる。
【先行技術文献】
【特許文献】
【０００３】
【特許文献１】中国特許出願公開第１０７１６６２８０号明細書
【発明の概要】
【発明が解決しようとする課題】
【０００４】
本発明の目的は天井に取り付けられる装飾品を提供し、それは既存技術にある上記欠点を解消し、設備の実用性を高められる。
【課題を解決するための手段】
【０００５】
本発明の天井に取り付けられる装飾品は、装飾ブロック及び前記装飾ブロックを取り付ける用の固定台座を含み、前記固定台座の外表面にはフランジが固定的に設置され、前記フランジの中には環状になるように配列された取り付け穴が設置され、前記固定台座の底壁の中には下方に開口したスライドチャンバが設置され、前記スライドチャンバの中にはスライドブロックがスライドできるように設置され、前記スライドブロックの中には第一スプラインスリーブが回転できるように設置され、前記スライドチャンバの頂壁の中には歯車チャンバが設置され、前記歯車チャンバの中には第二スプラインスリーブが回転できるように設置され、前記第二スプラインスリーブが前記歯車チャンバの頂壁の中に固定的に設置されたモーターと動力が伝達できるように連結され、前記モーターは設備全体に動力を提供することができ、前記第二スプラインスリーブの外表面には第一歯車が固定的に設置され、前記第二スプラインスリーブの底壁の中には下方に開口したスプライン穴が設置され、前記スプライン穴の中には前記第一スプラインスリーブと固定的に連結された第一スプライン軸がスプラインによって嵌合され、前記第一スプライン軸と前記スプライン穴の頂壁との間には第一ばねが弾性を持つように設置され、前記スプラインチャンバの左右端壁の中には外部に連通した第一スライド穴が設置され、前記第一スライド穴の中には第一スライドロッドがスライドできるように設置され、前記第一スライドロッドと前記第一スライド穴の底壁との間には第一復帰装置が弾性を持つように設置され、前記第一スライドロッドは前記固定台座を装飾ブロックと一緒にロックすることができ、前記第一スライド穴の頂壁の中には前記第一スライド穴に連通したスライド溝が設置され、前記スライド溝と前記スライド溝の頂壁との中には前記装飾ブロックと前記固定台座とを固定することができるロック装置が設置され、前記装飾ブロックは前記装飾ブロックの頂壁の中に設置された上方に開口した凹溝及び前記装飾ブロックの底壁の中に設置された内歯車を含み、前記凹溝の左右端壁の中には相対に開口した第二スライド穴が設置され、前記第二スライド穴の中には電気接続ロッドがスライドできるように設置され、前記電気接続ロッドと前記第二スライド穴の端壁との間には第二ばねが弾性を持つように設置され、前記凹溝の左右端壁の中にはロック溝が対称的に設置され、前記装飾ブロックの底壁にはガラス蓋が固定的に設置され、前記ガラス蓋の中には展示品とする装飾装置が設置された。
【０００６】
好ましくは、前記ロック装置は前記スライド溝の中でスライドできる位置制限ブロックを含み、前記位置制限ブロックと前記第一スライドロッドの頂壁とが固定的に連結され、前記スライド溝の頂壁の中にはラチェット機構チャンバが設置され、前記ラチェット機構チャンバと前記スライド溝との間には第一回転軸が回転できるように設置され、前記スライド溝の中の前記第一回転軸の外表面にはカムが固定的に設置され、前記ラチェット機構チャンバの中の前記第一回転軸の末端には歯止め付き円盤が固定的に設置され、前記ラチェット機構チャンバと前記歯車チャンバとの間には第二回転軸が回転できるように設置され、前記歯車チャンバの中の前記第二回転軸の末端には前記第一歯車と噛み合っている第二歯車が固定的に設置され、前記ラチェット機構チャンバの中の前記第二回転軸の末端には前記歯止め付き円盤と作動し合うラチェット歯車が固定的に設置され、前記スライド溝の頂壁の中には下方に開口した第三スライド穴が設置され、前記第三スライド穴の中には第二スライドロッドがスライドできるように設置され、前記第二スライドロッドの中には斜面溝が設置され、前記第二スライドロッドと前記第三スライド穴の頂壁との間には第三ばねが弾性を持つように設置され、前記スライドチャンバの左右端壁の中には前記第三スライド穴を貫通した第四スライド穴が設置され、前記第四スライド穴の中には第三スライドロッドがスライドできるように設置され、前記第三スライドロッドと前記第四スライド穴の上下端壁との間には第二復帰装置が弾性を持つように設置され、前記固定台座の左右端壁の中には電源の電気回路と通電できるように連結された電気接続溝が設置された。
【０００７】
好ましくは、前記装飾装置は前記装飾ブロックの底部に回転できるように設置された回転ラックを含み、前記回転ラックの中には上下に貫通した抜き穴が設置され、前記回転ラックの中には第三回転軸が左右対称的に回転できるように設置され、前記第三回転軸の底部末端には前記電気接続ロッドと通電できるように連結された照射ライトが固定的に設置され、前記第三回転軸の頂部には前記内歯車と噛み合っている第三歯車が固定的に設置され、前記内歯車と前記凹溝との間には第二スプライン軸が回転できるように設置され、前記内歯車の中の前記第二スプライン軸の外表面には前記第三歯車と噛み合っている第四歯車が固定的に設置され、前記第二スプライン軸の底部末端にはファンが固定的に設置され、前記ガラス蓋の中にはプラスチック製スパンコールが置かれた。
【発明の効果】
【０００８】
本発明の有益な効果は：本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の天井に取り付けられる装飾品全体の取り付け構成概略図
【図２】図２は図１の中の固定台座の全体構成概略図
【図３】図３は図２の中のＡの拡大概略図
【図４】図４は図１の中の装飾ブロックの全体構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明の天井に取り付けられる装飾品は、装飾ブロック４２及び前記装飾ブロック４２を取り付ける用の固定台座１０を含み、前記固定台座１０の外表面にはフランジ２６が固定的に設置され、前記フランジ２６の中には環状になるように配列された取り付け穴２５が設置され、前記固定台座１０の底壁の中には下方に開口したスライドチャンバ１９が設置され、前記スライドチャンバ１９の中にはスライドブロック６０がスライドできるように設置され、前記スライドブロック６０の中には第一スプラインスリーブ１７が回転できるように設置され、前記スライドチャンバ１９の頂壁の中には歯車チャンバ２２が設置され、前記歯車チャンバ２２の中には第二スプラインスリーブ２４が回転できるように設置され、前記第二スプラインスリーブ２４が前記歯車チャンバ２２の頂壁の中に固定的に設置されたモーター１１と動力が伝達できるように連結され、前記モーター１１は設備全体に動力を提供することができ、前記第二スプラインスリーブ２４の外表面には第一歯車１２が固定的に設置され、前記第二スプラインスリーブ２４の底壁の中には下方に開口したスプライン穴２３が設置され、前記スプライン穴２３の中には前記第一スプラインスリーブ１７と固定的に連結された第一スプライン軸１８がスプラインによって嵌合され、前記第一スプライン軸１８と前記スプライン穴２３の頂壁との間には第一ばね２０が弾性を持つように設置され、前記スプラインチャンバ１９の左右端壁の中には外部に連通した第一スライド穴１４が設置され、前記第一スライド穴１４の中には第一スライドロッド１６がスライドできるように設置され、前記第一スライドロッド１６と前記第一スライド穴１４の底壁との間には第一復帰装置１５が弾性を持つように設置され、前記第一スライドロッド１６は前記固定台座１０を装飾ブロック４６と一緒にロックすることができ、前記第一スライド穴１４の頂壁の中には前記第一スライド穴１４に連通したスライド溝３４が設置され、前記スライド溝３４と前記スライド溝３４の頂壁との中には前記装飾ブロック４２と前記固定台座１０とを固定することができるロック装置２００が設置され、前記装飾ブロック４２は前記装飾ブロック４２の頂壁の中に設置された上方に開口した凹溝４５及び前記装飾ブロック４２の底壁の中に設置された内歯車５６を含み、前記凹溝４５の左右端壁の中には相対に開口した第二スライド穴４７が設置され、前記第二スライド穴４７の中には電気接続ロッド４４がスライドできるように設置され、前記電気接続ロッド４４と前記第二スライド穴４７の端壁との間には第二ばね４７が弾性を持つように設置され、前記凹溝４５の左右端壁の中にはロック溝４８が対称的に設置され、前記装飾ブロック４２の底壁にはガラス蓋５８が固定的に設置され、前記ガラス蓋５８の中には展示品とする装飾装置３００が設置された。
【００１３】
有益なように、前記ロック装置２００は前記スライド溝３４の中でスライドできる位置制限ブロック３７を含み、前記位置制限ブロック３７と前記第一スライドロッド１６の頂壁とが固定的に連結され、前記スライド溝３４の頂壁の中にはラチェット機構チャンバ３０が設置され、前記ラチェット機構チャンバ３０と前記スライド溝３４との間には第一回転軸３５が回転できるように設置され、前記スライド溝３４の中の前記第一回転軸３５の外表面にはカム３６が固定的に設置され、前記ラチェット機構チャンバ３０の中の前記第一回転軸３５の末端には歯止め付き円盤３２が固定的に設置され、前記ラチェット機構チャンバ３０と前記歯車チャンバ２２との間には第二回転軸２１が回転できるように設置され、前記歯車チャンバ２２の中の前記第二回転軸２１の末端には前記第一歯車１２と噛み合っている第二歯車１３が固定的に設置され、前記ラチェット機構チャンバ３０の中の前記第二回転軸２１の末端には前記歯止め付き円盤３２と作動し合うラチェット歯車３１が固定的に設置され、前記スライド溝３４の頂壁の中には下方に開口した第三スライド穴３９が設置され、前記第三スライド穴３９の中には第二スライドロッド３８がスライドできるように設置され、前記第二スライドロッド３８の中には斜面溝２７が設置され、前記第二スライドロッド３８と前記第三スライド穴３９の頂壁との間には第三ばね２８が弾性を持つように設置され、前記スライドチャンバ１９の左右端壁の中には前記第三スライド穴３９を貫通した第四スライド穴２９が設置され、前記第四スライド穴２９の中には第三スライドロッド４１がスライドできるように設置され、前記第三スライドロッド４１と前記第四スライド穴２９の上下端壁との間には第二復帰装置４０が弾性を持つように設置され、前記固定台座１０の左右端壁の中には電源の電気回路と通電できるように連結された電気接続溝３３が設置された。
【００１４】
有益なように、前記装飾装置３００は前記装飾ブロック４２の底部に回転できるように設置された回転ラック５４を含み、前記回転ラック５４の中には上下に貫通した抜き穴５１が設置され、前記回転ラック５４の中には第三回転軸５３が左右対称的に回転できるように設置され、前記第三回転軸５３の底部末端には前記電気接続ロッド４４と通電できるように連結された照射ライト５２が固定的に設置され、前記第三回転軸５３の頂部には前記内歯車５６と噛み合っている第三歯車５５が固定的に設置され、前記内歯車５６と前記凹溝４５との間には第二スプライン軸４６が回転できるように設置され、前記内歯車５６の中の前記第二スプライン軸４６の外表面には前記第三歯車５５と噛み合っている第四歯車４９が固定的に設置され、前記第二スプライン軸４６の底部末端にはファン５０が固定的に設置され、前記ガラス蓋５８の中にはプラスチック製スパンコール５７が置かれた。
【００１５】
以下、出願人は附図１〜４及び上記の天井に取り付けられる装飾品の具体的に構成を参考して本発明の天井に取り付けられる装飾品の使用方法を詳しく紹介する：
【００１６】
本装置を使用する時、最初にアンカーを使用して固定台座１０を天井板に固定し、この時に装飾ブロック４２を上方へ推し動かし、この時に第一スライドロッド１６が推力の作用の下で対向に移動し、ロック溝４８が第一スライド穴１４と同じレベルに位置した時、第一スライドロッド１４が第一復帰装置１５の作用の下でロック溝４８の中に弾き込まれ、この時に固定台座１０と装飾ブロック４２とがしっかりと固定され、それと同時に装飾ブロック４２が上方へ移動して第二スプライン軸４６を連動させて第一スプラインスリーブ１７の中に挿し込んで第一スプラインスリーブ１７とスプラインによって嵌合され、この時に第二スプライン軸４６が上方へ移動して第一スプラインスリーブ１７を上方へ移動連動させ、それによって第一スプライン軸１８を上方へ移動連動させて第一ばね２０を圧縮し、スライドブロック６０が第三スライドロッド４１の上方にスライドし、この時に電気接続ロッド４４が電気接続溝３３に挿し込まれ、照射ライト５２が通電して光り、この時、モーター１１を始動して回転させて第二スプラインスリーブ２４を回転連動させ、それによって第二スプライン軸４６を回転連動させ、それによって第四歯車４９を回転連動させ、第四歯車４９が回転して第三歯車５５を自転させると同時に第四歯車４９を回って公転させることを連動させ、この時に回転ラック５４と照射ライト５２とが同時に回転し、それによって照射方向を連動させて絶えずに変化させ、それと同時に第二スプライン軸４６が回転してファン５０を回転連動させ、それによってガラス蓋５８の中のプラスチック製スパンコール５７を吹き上げ、この時に光りが変化している照射の下で異なる陰りを形成し、装飾品の装飾効果を向上させ、装飾ブロック４２を取り外す時、モーター１１を始動して反転させ、それによって第一歯車１２を反転連動させ、それによって第二歯車１３を反転連動させ、この時にラチェット歯車３１が反転して歯止め付き円盤３２を反転連動させることができ、それによってカム３６を回転連動させ、カム３６が回転して位置制限ブロック３７を移動連動させて第二スライドロッド３８を推し動かして上方へ移動させ、位置制限ブロック３７が第二スライドロッド３８の片側から第二スライドロッド３８のもう片側に移動した時、位置制限ブロック３７が固定され、この時に位置制限ブロック３７が第一スライドロッド１４を連動移動させてロック溝４８から出し、この時に第一ばね２０が第一スプライン軸１８を下方へ推し、第一スプライン軸１８が下方へ移動して第一スプラインスリーブ１７を下方へ移動連動させ、それによって固定台座１０を装飾ブロック４６から離れさせ、それによって第二スライドロッド３８を上方へ移動連動させ、この時に第一スライドロッド１４が復帰し、電気接続ロッド４４が移動して電気接続溝３３から出、設備が停電する。
【００１７】
上記の詳細な分析からわかるのは：本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
正面視で、装飾ブロック及び前記装飾ブロックを取り付ける用の固定台座を含み、前記固定台座の外表面にはフランジが固定的に設置され、前記フランジの中には環状になるように配列された取り付け穴が設置され、前記固定台座の底壁の中には下方に開口したスライドチャンバが設置され、前記スライドチャンバの中にはスライドブロックがスライドできるように設置され、前記スライドブロックの中には第一スプラインスリーブが回転できるように設置され、前記スライドチャンバの頂壁の中には歯車チャンバが設置され、前記歯車チャンバの中には第二スプラインスリーブが回転できるように設置され、前記第二スプラインスリーブが前記歯車チャンバの頂壁の中に固定的に設置されたモーターと動力が伝達できるように連結され、前記モーターは設備全体に動力を提供することができ、前記第二スプラインスリーブの外表面には第一歯車が固定的に設置され、前記第二スプラインスリーブの底壁の中には下方に開口したスプライン穴が設置され、前記スプライン穴の中には前記第一スプラインスリーブと固定的に連結された第一スプライン軸がスプラインによって嵌合され、前記第一スプライン軸と前記スプライン穴の頂壁との間には第一ばねが弾性を持つように設置され、前記スライドチャンバの左右端壁の中には外部に連通した第一スライド穴が設置され、前記第一スライド穴の中には第一スライドロッドがスライドできるように設置され、前記第一スライドロッドと前記第一スライド穴の底壁との間には第一復帰装置が弾性を持つように設置され、前記第一スライドロッドは前記固定台座を装飾ブロックと一緒にロックすることができ、前記第一スライド穴の頂壁の中には前記第一スライド穴に連通したスライド溝が設置され、前記スライド溝と前記スライド溝の頂壁との中には前記装飾ブロックと前記固定台座とを固定することができるロック装置が設置され、前記装飾ブロックは前記装飾ブロックの頂壁の中に設置された上方に開口した凹溝及び前記装飾ブロックの底壁の中に設置された内歯車を含み、前記凹溝の左右端壁の中には相対に開口した第二スライド穴が設置され、前記第二スライド穴の中には電気接続ロッドがスライドできるように設置され、前記電気接続ロッドと前記第二スライド穴の端壁との間には第二ばねが弾性を持つように設置され、前記凹溝の左右端壁の中にはロック溝が対称的に設置され、前記装飾ブロックの底壁にはガラス蓋が固定的に設置され、前記ガラス蓋の中には展示品とする装飾装置が設置されたことを特徴とする天井に取り付けられる装飾品。
【請求項２】
前記ロック装置は前記スライド溝の中でスライドできる位置制限ブロックを含み、前記位置制限ブロックと前記第一スライドロッドの頂壁とが固定的に連結され、前記スライド溝の頂壁の中にはラチェット機構チャンバが設置され、前記ラチェット機構チャンバと前記スライド溝との間には第一回転軸が回転できるように設置され、前記スライド溝の中の前記第一回転軸の外表面にはカムが固定的に設置され、前記ラチェット機構チャンバの中の前記第一回転軸の末端には歯止め付き円盤が固定的に設置され、前記ラチェット機構チャンバと前記歯車チャンバとの間には第二回転軸が回転できるように設置され、前記歯車チャンバの中の前記第二回転軸の末端には前記第一歯車と噛み合っている第二歯車が固定的に設置され、前記ラチェット機構チャンバの中の前記第二回転軸の末端には前記歯止め付き円盤と作動し合うラチェット歯車が固定的に設置され、前記スライド溝の頂壁の中には下方に開口した第三スライド穴が設置され、前記第三スライド穴の中には第二スライドロッドがスライドできるように設置され、前記第二スライドロッドの中には斜面溝が設置され、前記第二スライドロッドと前記第三スライド穴の頂壁との間には第三ばねが弾性を持つように設置され、前記スライドチャンバの左右端壁の中には前記第三スライド穴を貫通した第四スライド穴が設置され、前記第四スライド穴の中には第三スライドロッドがスライドできるように設置され、前記第三スライドロッドと前記第四スライド穴の上下端壁との間には第二復帰装置が弾性を持つように設置され、前記固定台座の左右端壁の中には電源の電気回路と通電できるように連結された電気接続溝が設置されたことを特徴とする請求項１に記載の天井に取り付けられる装飾品。
【請求項３】
前記装飾装置は前記装飾ブロックの底部に回転できるように設置された回転ラックを含み、前記回転ラックの中には上下に貫通した抜き穴が設置され、前記回転ラックの中には第三回転軸が左右対称的に回転できるように設置され、前記第三回転軸の底部末端には前記電気接続ロッドと通電できるように連結された照射ライトが固定的に設置され、前記第三回転軸の頂部には前記内歯車と噛み合っている第三歯車が固定的に設置され、前記内歯車と前記凹溝との間には第二スプライン軸が回転できるように設置され、前記内歯車の中の前記第二スプライン軸の外表面には前記第三歯車と噛み合っている第四歯車が固定的に設置され、前記第二スプライン軸の底部末端にはファンが固定的に設置され、前記ガラス蓋の中にはプラスチック製スパンコールが置かれたことを特徴とする請求項１に記載の天井に取り付けられる装飾品。
【手続補正２】
【補正対象書類名】明細書
【補正対象項目名】全文
【補正方法】変更
【補正の内容】
【発明の詳細な説明】
【技術分野】
【０００１】
本発明は装飾用品分野に関わり、具体的には天井に取り付けられる装飾品である。
【背景技術】
【０００２】
人々は装飾品を利用して装飾する時、一部の装飾品は天井板に固定される必要があり、伝統的な装飾品は固定方式が簡単で、且つしっかりと固定されることができなく、また取り外すことやクリーニングすることやメンテナンスなどは難しく、機能は単一で、装飾効果は普通であり、従って、上記の問題を解決するため、天井に取り付けられる装飾品が必要となる。
【先行技術文献】
【特許文献】
【０００３】
【特許文献１】中国特許出願公開第１０７１６６２８０号明細書
【発明の概要】
【発明が解決しようとする課題】
【０００４】
本発明の目的は天井に取り付けられる装飾品を提供し、それは既存技術にある上記欠点を解消し、設備の実用性を高められる。
【課題を解決するための手段】
【０００５】
本発明の天井に取り付けられる装飾品は、装飾ブロック及び前記装飾ブロックを取り付ける用の固定台座を含み、前記固定台座の外表面にはフランジが固定的に設置され、前記フランジの中には環状になるように配列された取り付け穴が設置され、前記固定台座の底壁の中には下方に開口したスライドチャンバが設置され、前記スライドチャンバの中にはスライドブロックがスライドできるように設置され、前記スライドブロックの中には第一スプラインスリーブが回転できるように設置され、前記スライドチャンバの頂壁の中には歯車チャンバが設置され、前記歯車チャンバの中には第二スプラインスリーブが回転できるように設置され、前記第二スプラインスリーブが前記歯車チャンバの頂壁の中に固定的に設置されたモーターと動力が伝達できるように連結され、前記モーターは設備全体に動力を提供することができ、前記第二スプラインスリーブの外表面には第一歯車が固定的に設置され、前記第二スプラインスリーブの底壁の中には下方に開口したスプライン穴が設置され、前記スプライン穴の中には前記第一スプラインスリーブと固定的に連結された第一スプライン軸がスプラインによって嵌合され、前記第一スプライン軸と前記スプライン穴の頂壁との間には第一ばねが弾性を持つように設置され、前記スライドチャンバの左右端壁の中には外部に連通した第一スライド穴が設置され、前記第一スライド穴の中には第一スライドロッドがスライドできるように設置され、前記第一スライドロッドと前記第一スライド穴の底壁との間には第一復帰装置が弾性を持つように設置され、前記第一スライドロッドは前記固定台座を装飾ブロックと一緒にロックすることができ、前記第一スライド穴の頂壁の中には前記第一スライド穴に連通したスライド溝が設置され、前記スライド溝と前記スライド溝の頂壁との中には前記装飾ブロックと前記固定台座とを固定することができるロック装置が設置され、前記装飾ブロックは前記装飾ブロックの頂壁の中に設置された上方に開口した凹溝及び前記装飾ブロックの底壁の中に設置された内歯車を含み、前記凹溝の左右端壁の中には相対に開口した第二スライド穴が設置され、前記第二スライド穴の中には電気接続ロッドがスライドできるように設置され、前記電気接続ロッドと前記第二スライド穴の端壁との間には第二ばねが弾性を持つように設置され、前記凹溝の左右端壁の中にはロック溝が対称的に設置され、前記装飾ブロックの底壁にはガラス蓋が固定的に設置され、前記ガラス蓋の中には展示品とする装飾装置が設置された。
【０００６】
好ましくは、前記ロック装置は前記スライド溝の中でスライドできる位置制限ブロックを含み、前記位置制限ブロックと前記第一スライドロッドの頂壁とが固定的に連結され、前記スライド溝の頂壁の中にはラチェット機構チャンバが設置され、前記ラチェット機構チャンバと前記スライド溝との間には第一回転軸が回転できるように設置され、前記スライド溝の中の前記第一回転軸の外表面にはカムが固定的に設置され、前記ラチェット機構チャンバの中の前記第一回転軸の末端には歯止め付き円盤が固定的に設置され、前記ラチェット機構チャンバと前記歯車チャンバとの間には第二回転軸が回転できるように設置され、前記歯車チャンバの中の前記第二回転軸の末端には前記第一歯車と噛み合っている第二歯車が固定的に設置され、前記ラチェット機構チャンバの中の前記第二回転軸の末端には前記歯止め付き円盤と作動し合うラチェット歯車が固定的に設置され、前記スライド溝の頂壁の中には下方に開口した第三スライド穴が設置され、前記第三スライド穴の中には第二スライドロッドがスライドできるように設置され、前記第二スライドロッドの中には斜面溝が設置され、前記第二スライドロッドと前記第三スライド穴の頂壁との間には第三ばねが弾性を持つように設置され、前記スライドチャンバの左右端壁の中には前記第三スライド穴を貫通した第四スライド穴が設置され、前記第四スライド穴の中には第三スライドロッドがスライドできるように設置され、前記第三スライドロッドと前記第四スライド穴の上下端壁との間には第二復帰装置が弾性を持つように設置され、前記固定台座の左右端壁の中には電源の電気回路と通電できるように連結された電気接続溝が設置された。
【０００７】
好ましくは、前記装飾装置は前記装飾ブロックの底部に回転できるように設置された回転ラックを含み、前記回転ラックの中には上下に貫通した抜き穴が設置され、前記回転ラックの中には第三回転軸が左右対称的に回転できるように設置され、前記第三回転軸の底部末端には前記電気接続ロッドと通電できるように連結された照射ライトが固定的に設置され、前記第三回転軸の頂部には前記内歯車と噛み合っている第三歯車が固定的に設置され、前記内歯車と前記凹溝との間には第二スプライン軸が回転できるように設置され、前記内歯車の中の前記第二スプライン軸の外表面には前記第三歯車と噛み合っている第四歯車が固定的に設置され、前記第二スプライン軸の底部末端にはファンが固定的に設置され、前記ガラス蓋の中にはプラスチック製スパンコールが置かれた。
【発明の効果】
【０００８】
本発明の有益な効果は：本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の天井に取り付けられる装飾品全体の取り付け構成概略図
【図２】図２は図１の中の固定台座の全体構成概略図
【図３】図３は図２の中のＡの拡大概略図
【図４】図４は図１の中の装飾ブロックの全体構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明の天井に取り付けられる装飾品は、装飾ブロック４２及び前記装飾ブロック４２を取り付ける用の固定台座１０を含み、前記固定台座１０の外表面にはフランジ２６が固定的に設置され、前記フランジ２６の中には環状になるように配列された取り付け穴２５が設置され、前記固定台座１０の底壁の中には下方に開口したスライドチャンバ１９が設置され、前記スライドチャンバ１９の中にはスライドブロック６０がスライドできるように設置され、前記スライドブロック６０の中には第一スプラインスリーブ１７が回転できるように設置され、前記スライドチャンバ１９の頂壁の中には歯車チャンバ２２が設置され、前記歯車チャンバ２２の中には第二スプラインスリーブ２４が回転できるように設置され、前記第二スプラインスリーブ２４が前記歯車チャンバ２２の頂壁の中に固定的に設置されたモーター１１と動力が伝達できるように連結され、前記モーター１１は設備全体に動力を提供することができ、前記第二スプラインスリーブ２４の外表面には第一歯車１２が固定的に設置され、前記第二スプラインスリーブ２４の底壁の中には下方に開口したスプライン穴２３が設置され、前記スプライン穴２３の中には前記第一スプラインスリーブ１７と固定的に連結された第一スプライン軸１８がスプラインによって嵌合され、前記第一スプライン軸１８と前記スプライン穴２３の頂壁との間には第一ばね２０が弾性を持つように設置され、前記スライドチャンバ１９の左右端壁の中には外部に連通した第一スライド穴１４が設置され、前記第一スライド穴１４の中には第一スライドロッド１６がスライドできるように設置され、前記第一スライドロッド１６と前記第一スライド穴１４の底壁との間には第一復帰装置１５が弾性を持つように設置され、前記第一スライドロッド１６は前記固定台座１０を装飾ブロック４６と一緒にロックすることができ、前記第一スライド穴１４の頂壁の中には前記第一スライド穴１４に連通したスライド溝３４が設置され、前記スライド溝３４と前記スライド溝３４の頂壁との中には前記装飾ブロック４２と前記固定台座１０とを固定することができるロック装置２００が設置され、前記装飾ブロック４２は前記装飾ブロック４２の頂壁の中に設置された上方に開口した凹溝４５及び前記装飾ブロック４２の底壁の中に設置された内歯車５６を含み、前記凹溝４５の左右端壁の中には相対に開口した第二スライド穴４７が設置され、前記第二スライド穴４７の中には電気接続ロッド４４がスライドできるように設置され、前記電気接続ロッド４４と前記第二スライド穴４７の端壁との間には第二ばね４７が弾性を持つように設置され、前記凹溝４５の左右端壁の中にはロック溝４８が対称的に設置され、前記装飾ブロック４２の底壁にはガラス蓋５８が固定的に設置され、前記ガラス蓋５８の中には展示品とする装飾装置３００が設置された。
【００１３】
有益なように、前記ロック装置２００は前記スライド溝３４の中でスライドできる位置制限ブロック３７を含み、前記位置制限ブロック３７と前記第一スライドロッド１６の頂壁とが固定的に連結され、前記スライド溝３４の頂壁の中にはラチェット機構チャンバ３０が設置され、前記ラチェット機構チャンバ３０と前記スライド溝３４との間には第一回転軸３５が回転できるように設置され、前記スライド溝３４の中の前記第一回転軸３５の外表面にはカム３６が固定的に設置され、前記ラチェット機構チャンバ３０の中の前記第一回転軸３５の末端には歯止め付き円盤３２が固定的に設置され、前記ラチェット機構チャンバ３０と前記歯車チャンバ２２との間には第二回転軸２１が回転できるように設置され、前記歯車チャンバ２２の中の前記第二回転軸２１の末端には前記第一歯車１２と噛み合っている第二歯車１３が固定的に設置され、前記ラチェット機構チャンバ３０の中の前記第二回転軸２１の末端には前記歯止め付き円盤３２と作動し合うラチェット歯車３１が固定的に設置され、前記スライド溝３４の頂壁の中には下方に開口した第三スライド穴３９が設置され、前記第三スライド穴３９の中には第二スライドロッド３８がスライドできるように設置され、前記第二スライドロッド３８の中には斜面溝２７が設置され、前記第二スライドロッド３８と前記第三スライド穴３９の頂壁との間には第三ばね２８が弾性を持つように設置され、前記スライドチャンバ１９の左右端壁の中には前記第三スライド穴３９を貫通した第四スライド穴２９が設置され、前記第四スライド穴２９の中には第三スライドロッド４１がスライドできるように設置され、前記第三スライドロッド４１と前記第四スライド穴２９の上下端壁との間には第二復帰装置４０が弾性を持つように設置され、前記固定台座１０の左右端壁の中には電源の電気回路と通電できるように連結された電気接続溝３３が設置された。
【００１４】
有益なように、前記装飾装置３００は前記装飾ブロック４２の底部に回転できるように設置された回転ラック５４を含み、前記回転ラック５４の中には上下に貫通した抜き穴５１が設置され、前記回転ラック５４の中には第三回転軸５３が左右対称的に回転できるように設置され、前記第三回転軸５３の底部末端には前記電気接続ロッド４４と通電できるように連結された照射ライト５２が固定的に設置され、前記第三回転軸５３の頂部には前記内歯車５６と噛み合っている第三歯車５５が固定的に設置され、前記内歯車５６と前記凹溝４５との間には第二スプライン軸４６が回転できるように設置され、前記内歯車５６の中の前記第二スプライン軸４６の外表面には前記第三歯車５５と噛み合っている第四歯車４９が固定的に設置され、前記第二スプライン軸４６の底部末端にはファン５０が固定的に設置され、前記ガラス蓋５８の中にはプラスチック製スパンコール５７が置かれた。
【００１５】
以下、出願人は附図１〜４及び上記の天井に取り付けられる装飾品の具体的に構成を参考して本発明の天井に取り付けられる装飾品の使用方法を詳しく紹介する：
【００１６】
本装置を使用する時、最初にアンカーを使用して固定台座１０を天井板に固定し、この時に装飾ブロック４２を上方へ推し動かし、この時に第一スライドロッド１６が推力の作用の下で対向に移動し、ロック溝４８が第一スライド穴１４と同じレベルに位置した時、第一スライドロッド１４が第一復帰装置１５の作用の下でロック溝４８の中に弾き込まれ、この時に固定台座１０と装飾ブロック４２とがしっかりと固定され、それと同時に装飾ブロック４２が上方へ移動して第二スプライン軸４６を連動させて第一スプラインスリーブ１７の中に挿し込んで第一スプラインスリーブ１７とスプラインによって嵌合され、この時に第二スプライン軸４６が上方へ移動して第一スプラインスリーブ１７を上方へ移動連動させ、それによって第一スプライン軸１８を上方へ移動連動させて第一ばね２０を圧縮し、スライドブロック６０が第三スライドロッド４１の上方にスライドし、この時に電気接続ロッド４４が電気接続溝３３に挿し込まれ、照射ライト５２が通電して光り、この時、モーター１１を始動して回転させて第二スプラインスリーブ２４を回転連動させ、それによって第二スプライン軸４６を回転連動させ、それによって第四歯車４９を回転連動させ、第四歯車４９が回転して第三歯車５５を自転させると同時に第四歯車４９を回って公転させることを連動させ、この時に回転ラック５４と照射ライト５２とが同時に回転し、それによって照射方向を連動させて絶えずに変化させ、それと同時に第二スプライン軸４６が回転してファン５０を回転連動させ、それによってガラス蓋５８の中のプラスチック製スパンコール５７を吹き上げ、この時に光りが変化している照射の下で異なる陰りを形成し、装飾品の装飾効果を向上させ、装飾ブロック４２を取り外す時、モーター１１を始動して反転させ、それによって第一歯車１２を反転連動させ、それによって第二歯車１３を反転連動させ、この時にラチェット歯車３１が反転して歯止め付き円盤３２を反転連動させることができ、それによってカム３６を回転連動させ、カム３６が回転して位置制限ブロック３７を移動連動させて第二スライドロッド３８を推し動かして上方へ移動させ、位置制限ブロック３７が第二スライドロッド３８の片側から第二スライドロッド３８のもう片側に移動した時、位置制限ブロック３７が固定され、この時に位置制限ブロック３７が第一スライドロッド１４を連動移動させてロック溝４８から出し、この時に第一ばね２０が第一スプライン軸１８を下方へ推し、第一スプライン軸１８が下方へ移動して第一スプラインスリーブ１７を下方へ移動連動させ、それによって固定台座１０を装飾ブロック４６から離れさせ、それによって第二スライドロッド３８を上方へ移動連動させ、この時に第一スライドロッド１４が復帰し、電気接続ロッド４４が移動して電気接続溝３３から出、設備が停電する。
【００１７】
上記の詳細な分析からわかるのは：本発明の天井に取り付けられる装飾品は取り付けが便利で、また便利に取り外されることができ、クリーニングとメンテナンスも気楽にでき、それと同時に本発明の天井に取り付けられる装飾品の中には回転の照明器具を設置し、風力を利用してスパンコールを連動させて不規則の運動をさせ、それによって屈折したライトは光りの変化が測り知れなく、よい装飾作用がある。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。